(57)【要約】【課題】本考案は、いっぱいになったゴミを放出、廃棄する際に、反転させるだけでゴミの放出を容易に行うことができ、そのまま元の姿勢に戻さずに、直ちにゴミ箱として再利用の状態に供することができる天地両用型のゴミ箱を提供する。【解決手段】本考案に係るゴミ箱１は、内部が空間で上下を開口した立体状の胴部２と、前記胴部２の内周壁に胴部２の長さ方向に沿って設けた複数の移動用ガイド４と、移動用ガイド４から外脱しないように該移動用ガイド４にガイドされて胴部２内を長さ方向の双方向に移動可能な移動底板５とを有することを特徴とするものである。【選択図】図１
0003097105.tif 000002
【実用新案登録請求の範囲】
【請求項１】
内部が空間で上下を開口した立体状の胴部と、
前記胴部の内周壁にガイドされて胴部内を長さ方向の双方向に移動可能な移動底板と、
を有することを特徴とするゴミ箱。
【請求項２】
内部が空間で上下を開口した立体状の胴部と、
前記胴部両端から外脱しないように胴部内に配置され、且つ、胴部の内周壁にガイドされて胴部内を長さ方向の双方向に移動可能な移動底板と、
を有することを特徴とするゴミ箱。
【請求項３】
前記移動底板は、内部が空間で上下を開口した低い立体状で前記胴部の内周と相似形状の外周部と、この外周部内に固設された板材とからなるものであることを特徴とする請求項１又は２記載のゴミ箱。
【請求項４】
前記胴部の上下端の内周面には、移動底板の胴部両端から外方への脱落防止用の複数のストッパー部を具備するものであることを特徴とする請求項１乃至３のいずれかに記載のゴミ箱。
【請求項５】
前記胴部は筒状であるとともに、前記移動底板は胴部両端から外脱しないように胴部内に配置され、且つ、胴部の内周壁にガイドされて胴部内を長さ方向の双方向に移動可能で筒状の胴部と相似形状であることを特徴とする請求項１乃至４のいずれかに記載のゴミ箱。
【請求項６】
内部が空間で上下を開口した立体状の胴部と、
前記胴部の内周壁に胴部の長さ方向に沿って設けた移動用ガイドと、
前記移動用ガイドにガイドされて胴部内を長さ方向の双方向に移動可能な移動底板と、
を有することを特徴とするゴミ箱。
【請求項７】
内部が空間で上下を開口した立体状の胴部と、
前記胴部の内周壁に胴部の長さ方向に沿って設けた複数の移動用ガイドと、
前記移動用ガイドから外脱しないように該移動用ガイドにガイドされて胴部内を長さ方向の双方向に移動可能な移動底板と、
を有することを特徴とするゴミ箱。
【請求項８】
前記胴部は上下を開口した筒状であるとともに、前記移動底板は前記移動用ガイドにガイドされて胴部内を長さ方向の双方向に移動可能で筒状の胴部と相似形状であることを特徴とする請求項６又は７記載のゴミ箱。
【請求項９】
前記胴部は上下を開口した角形状であるとともに、前記移動底板は前記移動用ガイドにガイドされて胴部内を長さ方向の双方向に移動可能で角形状の胴部と相似形状であることを特徴とする請求項６又は７記載のゴミ箱。
【考案の詳細な説明】
【考案の属する技術分野】
本考案は、ゴミ箱に関し、詳しくは、紙屑等のゴミを効率良く廃棄処分することが可能可能で、しかも、ゴミの廃棄処分後、直ちに再使用の状態に供することができるゴミ箱に関するものである。
【従来の技術】
従来、家庭やオフィス等で紙屑等のゴミ類を投入するゴミ箱においては、ゴミ類がいっぱい溜まった段階でこのゴミ箱を傾け、ビニール袋等にゴミ類を放出して廃棄処分することが通常行われている。
また、例えば、特開平８−１４３１０４号には、ハート形に形成した無底筒体の一方の端部近傍にこの無底筒体と相似形状の支持部を設けるとともに、無底筒体内にこの無底筒体と相似形状の可動底部材を摺動可能に設け、可動底部材の摺動を利用してビニール袋等のようなゴミ袋のセットを容易としたゴミ箱が提案されている。
しかし、従来のゴミ箱の場合、いずれにしても、いったんゴミ箱を傾倒或いは反転してゴミ類を放出した後、元の姿勢に復帰させて再利用の状態に供するものである。すなわち、従来のゴミ箱の場合、天地両用型ではなく、ごみ箱内のゴミ類を手作業で放出、廃棄した後、元の姿勢に復帰させて再利用の状態に供するという煩雑な作業が必須であった。
【特許文献１】
特開平８−１４３１０４号公報
【考案が解決しようとする課題】
本考案は、上記従来の実情に鑑み開発されたものであり、いっぱいになったゴミを放出、廃棄する際に、反転させるだけでゴミの放出、廃棄を容易に行うことができ、しかも、そのまま元の姿勢に戻さずにゴミ箱として再利用の状態に供することができる天地両用型という極めて斬新構造のゴミ箱を提供することを目的とするものである。
【課題を解決するための手段】
請求項１記載の考案のゴミ箱は、内部が空間で上下を開口した立体状の胴部と、前記胴部の内周壁にガイドされて胴部内を長さ方向の双方向に移動可能な移動底板とを有することを特徴とするものである。
請求項２記載の考案のゴミ箱は、内部が空間で上下を開口した立体状の胴部と、前記胴部両端から外脱しないように胴部内に配置され、且つ、胴部の内周壁にガイドされて胴部内を長さ方向の双方向に移動可能な移動底板とを有することを特徴とするものである。
請求項１、２記載の考案のゴミ箱によれば、上下反転という簡略な操作だけで、胴部の内周壁にガイドされる移動底板の自重による移動動作でゴミ類を極めて容易に外部に放出、廃棄することができ、更に、放出、廃棄処理後においては、胴部内の移動底板が位置規制されて下端位置に治まっているので、このまま直ちにゴミ箱として再利用の状態に供することができ、天地両用型の斬新構造のゴミ箱を提供できる。
請求項３記載の考案のゴミ箱は、前記請求項１又は２記載のゴミ箱において、前記移動底板は、内部が空間で上下を開口した低い立体状で前記胴部の内周と相似形状の外周部と、この外周部内に固設された板材とからなるものであることを特徴とする。
請求項３記載の考案のゴミ箱によれば、移動底板を、内部が空間で上下を開口した低い立体状で前記胴部の内周と相似形状の外周部と、この外周部内に固設された板材とから構成して前記請求項１又は２記載のゴミ箱の作用を発揮する天地両用型の斬新構造のゴミ箱を提供できる。
請求項４記載の考案のゴミ箱は、前記請求項１乃至３のいずれかに記載のゴミ箱において、前記胴部の上下端の内周面には、移動底板の胴部両端から外方への脱落防止用の複数のストッパー部を具備するものであることを特徴とする。
請求項４記載の考案のゴミ箱によれば、胴部の上下端の内周面に、移動底板の胴部両端から外方への脱落防止用の複数のストッパー部を具備した構成をもって前記請求項１乃至３記載のゴミ箱の作用を発揮する天地両用型の斬新構造のゴミ箱を提供できる。
請求項５記載の考案のゴミ箱は、前記請求項１乃至４のいずれかに記載のゴミ箱において、前記胴部は筒状であるとともに、前記移動底板は胴部両端から外脱しないように胴部内に配置され、且つ、胴部の内周壁にガイドされて胴部内を長さ方向の双方向に移動可能で筒状の胴部と相似形状であることを特徴とする。
請求項５記載の考案のゴミ箱によれば、全体が円筒形状で前記請求項１乃至４記載のゴミ箱の作用を発揮する天地両用型の斬新構造のゴミ箱を提供できる。
請求項６記載の考案のゴミ箱は、内部が空間で上下を開口した立体状の胴部と、前記胴部の内周壁に胴部の長さ方向に沿って設けた移動用ガイドと、前記移動用ガイドにガイドされて胴部内を長さ方向の双方向に移動可能な移動底板とを有することを特徴とするものである。
請求項７記載の考案のゴミ箱は、内部が空間で上下を開口した立体状の胴部と、前記胴部の内周壁に胴部の長さ方向に沿って設けた複数の移動用ガイドと、前記移動用ガイドから外脱しないように該移動用ガイドにガイドされて胴部内を長さ方向の双方向に移動可能な移動底板とを有することを特徴とするものである。請求項６、７記載の考案のゴミ箱によれば、上下反転という簡略な操作だけで、移動用ガイドによりガイドされる移動底板の自重による移動動作でゴミ類を極めて容易に外部に放出、廃棄することができ、更に、放出、廃棄処理後においては、胴部内の移動底板が位置規制されて下端位置に治まっているので、このまま直ちにゴミ箱として再利用の状態に供することができ、天地両用型の斬新構造のゴミ箱を提供できる。
請求項８記載の考案のゴミ箱は、請求項６又は７記載のゴミ箱において、前記胴部は上下を開口した筒状であるとともに、前記移動底板は前記移動用ガイドにガイドされて胴部内を長さ方向の双方向に移動可能で筒状の胴部と相似形状であることを特徴とするものである。
請求項８記載の考案のゴミ箱によれば、全体が円筒形状で前記請求項６、７記載のゴミ箱の作用を発揮する天地両用型の斬新構造のゴミ箱を提供できる。
請求項９記載の考案のゴミ箱は、請求項６又は７記載のゴミ箱において、前記胴部は上下を開口した角形状であるとともに、前記移動底板は前記移動用ガイドにガイドされて胴部内を長さ方向の双方向に移動可能で角形状の胴部と相似形状であることを特徴とするものである。
請求項９記載の考案のゴミ箱によれば、全体が角形状で前記請求項６、７記載のゴミ箱の作用を発揮する天地両用型の斬新構造のゴミ箱を提供できる。
【考案の実施の形態】
以下、本考案に係るゴミ箱の実施の形態を詳細に説明する。
（実施の形態１）
本実施の形態に係るゴミ箱１は、図１、図２に示すように、内部が空間で上下を開口した（すなわち無底の）例えば円筒状等の立体状で、例えばアルミニウム製の胴部２と、胴部２の内周壁にこの胴部２の長さ方向に沿って１２０度間隔で設けた例えば３個の丸棒状の移動用ガイド４と、３個の移動用ガイド４に対応して外周部に１２０度間隔で３個のガイド孔５ａを有し、当該３個の移動用ガイド４に３個の各ガイド孔５ａを夫々嵌合させることで、当該移動用ガイド４から外脱しないように外周部をガイドされつつ胴部２内をその長さ方向の双方向に移動可能である例えばアルミニウム製で円板状の移動底板５とを有している。
なお、胴部２の上下両端には、凹状に形成したゴム材２ｂ嵌着するようにしても良い。
前記各移動用ガイド４は、各図に示すように、例えばステンレス製の丸棒の両端４ａ、４ｂを９０度折曲して形成され、両端４ａ、４ｂを各々前記胴部２の内周壁に溶接等で固着してこの胴部２の長さ方向に沿って配置している。各移動用ガイド４の夫々の上下両端４ａ、４ｂをもって移動底板５のストッパーとしている。
次に、上記構成のゴミ箱１の作用を、図３、図４をも参照して説明する。
ゴミ箱１は、初期状態では、図１、図２に示すように移動底板５が胴部２の一端（下端）近傍に位置している。この状態で、紙屑等のゴミ１０がゴミ箱１内に投入されていっぱいになったとする。
このとき、ゴミ箱１内のゴミ１０を例えばビニール袋等に放出、廃棄しようとする操作者は、図３に示すように、ゴミ箱１を上下反転させる。
これにより、胴部２内の移動底板５は、ゴミ箱１の上下反転に伴い図３に示すように前記移動用ガイド４によりガイドされつつ自重により下方に落下し、これにより、胴部２内のゴミ１０は、図３に示すように、移動底板５により下方に押し出されるようにして図示しないビニール袋内へ放出、廃棄される。下方に落下した移動底板５は、前記各移動用ガイド４の夫々の上下両端４ａ、４ｂに当接し、位置規制され図４に示す状態となる。
このようにして、ゴミ箱１の上下反転という簡略な操作だけで、ゴミ箱１からゴミ１０を極めて容易に外部に放出、廃棄することができ、更に、放出、廃棄処理後においては、胴部２内の移動底板５が、図４に示すように、下端位置に治まっているので、このまま直ちにゴミ箱１として再利用の状態に供することができる。
なお、前記胴部２の上下両端の内周には、パッキン材、緩衝材、弾性材、ブラシ材、ゴム材、ウレタン材のいずれかからなる緩衝部２ａを適当な幅で貼着するようにしても良い。この緩衝部２ａを設けた場合、胴部２内での移動底板５の反転時等において、胴部２と移動底板５との衝突音を緩衝でき、また、胴部２内のゴミを放出、廃棄する際、胴部２内に液状のものがあった場合、胴部２の内周に付着した液状物を当該緩衝部２ａでもって受け止め外に放出しないようにすることが可能である。
図５はゴミ箱１の変形例である四角形状の立体状のゴミ箱１Ａを示すものであり、基本的な構造は前記ゴミ箱１と同様であるが、全体形状を四角形状としたことが特徴である。
すなわち、胴部１２を四角形状とし、移動底板１５を四角形の底板としている。そして、胴部１２内に４箇所に亙って移動用ガイド１４を設け、移動底板１５の４箇所のガイド孔１５ａを各移動用ガイド１４に嵌合させて、移動底板１５を胴部１２の長さ方向の双方向に移動可能としたものである。
このような変形例のゴミ箱１Ａによっても、前記ゴミ箱１と同様な作用、効果を発揮させることができる。更に、本考案のゴミ箱は、上述した場合の他、楕円筒状、六角形状、八角形状等各種の形状に構成して実施できる。また、本考案の各部の構成材はその材質を限定するものではなく、更に、ゴミ箱のサイズを限定するものではない。
（実施の形態２）
図６、図７は、本考案の実施の形態２に係るゴミ箱１Ｂを示すものであり、前記実施の形態１に係るゴミ箱１の変形例である。以下、前記実施の形態１に係るゴミ箱１と同じ構成部については同じ符号を付して説明する。
実施の形態２に係るゴミ箱１Ｂは、移動底板２５に改良を加えたことが特徴である。
すなわち、このゴミ箱１Ｂは、図６、図７に示すように、内部が空間で上下を開口した（すなわち無底の）例えば円筒状等の立体状で、例えば樹脂製或いはアルミニウム製等の胴部２と、この胴部２の内周面に接合又は摺動或いは胴部２の内周面と僅かな隙間を有しながら胴部２内から外脱しないように外周部２６をガイドされつつ胴部２内をその長さ方向の双方向に移動可能である例えば樹脂製或いはアルミニウム製等の円板状の移動底板２５とを有している。
前記移動底板２５は、内部が空間で上下を開口（すなわち無底）し、且つ、前記胴部２の内周と相似形状で比較的背を低く形成した外周部２６内に板材２７を固設した構成となっている。なお、図６中の符号２８は、胴部２の上下端の内周面に例えば３ケ所設けられた移動底板２５のストッパー部である。各ストッパー部２８により、移動底板２５の胴部２の両端から外方への脱落を防止するようになっている。
なお、胴部２の上下両端には、凹状に形成したゴム材２ｂ嵌着するようにしても良い。
次に、上記構成のゴミ箱１Ｂの作用を説明する。
ゴミ箱１Ｂは、前述したように、初期状態では、前記実施の形態１のゴミ箱１における図１、図２に示すように移動底板２５が胴部２の一端（下端）近傍に位置している。この状態で、紙屑等のゴミ１０がゴミ箱１内に投入されていっぱいになったとする。
このとき、ゴミ箱１Ｂ内のゴミ１０を例えばビニール袋等に放出、廃棄しようとする操作者は、前記実施の形態１のゴミ箱１における図３に示すように、ゴミ箱１を上下反転させる。
これにより、前記胴部２内の移動底板２５は、ゴミ箱１Ｂの上下反転に伴って胴部２の内周面によりガイドされつつ自重により下方に落下し、これにより、胴部２内のゴミ１０は、前記実施の形態１のゴミ箱１における図３に示すように、移動底板２５により下方に押し出されるようにして図示しないビニール袋内へ放出、廃棄される。下方に落下した移動底板２５は、前記各ストッパー部２８に当接し、位置規制され前記実施の形態１のゴミ箱１における図４に示す状態となる。
このようにして、ゴミ箱１Ｂの上下反転という簡略な操作だけで、ゴミ箱１Ｂからゴミ１０を極めて容易に外部に放出、廃棄することができ、更に、放出、廃棄処理後においては、胴部２内の移動底板２５が、前記実施の形態１のゴミ箱１における図４に示すように、下端位置に治まっているので、このまま直ちにゴミ箱１Ｂとして再利用の状態に供することができる。
本考案の実施の形態２に係るゴミ箱１Ｂは、上述した場合の他、楕円筒状、六角形状、八角形状等各種の形状に構成して実施でき、また、本考案の各部の構成材はその材質を限定するものではなく、更に、ゴミ箱のサイズを限定するものではない。
【考案の効果】
請求項１、２記載の考案によれば、上下反転という簡略な操作だけで、ゴミ類を極めて容易に外部に放出、廃棄することができ、更に、放出、廃棄処理後においては、そのまま元の姿勢に戻すことなく、直ちにゴミ箱として再利用の状態に供することができ、天地両用型の極めて斬新構造のゴミ箱を提供できる。
請求項３記載の考案によれば、移動底板を、内部が空間で上下を開口した低い立体状で前記胴部の内周と相似形状の外周部と、この外周部内に固設された板材とから構成して前記請求項１又は２記載のゴミ箱の効果を発揮する天地両用型の斬新構造のゴミ箱を提供できる。
請求項４記載の考案によれば、胴部の上下端の内周面に、移動底板の胴部両端から外方への脱落防止用の複数のストッパー部を具備した構成をもって前記請求項１乃至３記載のゴミ箱の効果を発揮する天地両用型の斬新構造のゴミ箱を提供できる。
請求項５記載の考案の考案によれば、全体が円筒形状で前記請求項１乃至４記載のゴミ箱の効果を発揮する天地両用型の斬新構造のゴミ箱を提供できる。
請求項６、７記載の考案によれば、上下反転という簡略な操作だけで、ゴミ類を極めて容易に外部に放出、廃棄することができ、更に、放出、廃棄処理後においては、そのまま元の姿勢に戻すことなく、直ちにゴミ箱として再利用の状態に供することができ、天地両用型の極めて斬新構造のゴミ箱を提供できる。
請求項８記載の考案によれば、全体が円筒形状で上記請求項６、７記載のゴミ箱の効果を発揮する天地両用型の斬新構造のゴミ箱を提供できる。
請求項９記載の考案によれば、全体が角形状で上記請求項６、７記載のゴミ箱の効果を発揮する天地両用型の斬新構造のゴミ箱を提供できる。
【図面の簡単な説明】
【図１】本考案の実施の形態に係るゴミ箱の斜視図である。
【図２】本考案の実施の形態に係るゴミ箱の概略断面図である。
【図３】本考案の実施の形態に係るゴミ箱のゴミ放出、廃棄処理時の上下反転状態を示す概略断面図である。
【図４】本考案の実施の形態に係るゴミ箱のゴミ放出、廃棄処理後の状態を示す概略断面図である。
【図５】本考案の実施の形態に係るゴミ箱の変形例を示す部分切欠斜視図である。
【図６】本考案の実施の形態２に係るゴミ箱１Ａの概略断面図である。
【図７】本考案の実施の形態２に係るゴミ箱１Ａの移動底板２５の斜視図である。
【符号の説明】
１　　ゴミ箱
１Ａ　ゴミ箱
２　　胴部
４　　移動用ガイド
４ａ、４ｂ　移動用ガイドの上下の両端
５　　移動底板
５ａ　ガイド孔
１０　　ゴミ
１２　　胴部
１４　　移動用ガイド
１５　　移動底板
１５ａ　ガイド孔
２５　　移動底板
２６　　外周部
２７　　板材
２８　　移動底板２５のストッパー部
【図１】
0003097105.tif 000003
【図２】
0003097105.tif 000004
【図３】
0003097105.tif 000005
【図４】
0003097105.tif 000006
【図５】
0003097105.tif 000007
【図６】
0003097105.tif 000008
【図７】
0003097105.tif 000009